(57)【要約】    【課題】  別部材から成る緩衝体を必要とせず、包装箱の一部によって緩衝体の機能を保持する。    【解決手段】  底板２０に形成された切込み３２を折曲げ線３３のところで折曲げて下側緩衝用筒体４５を形成し、底部フラップ２１に形成された切込み３４を折曲げ線３５のところで折曲げて下側緩衝用筒体４６を形成し、蓋板２６に形成された切込み３８を折曲げ線３９のところで折曲げて上側緩衝用筒体４７を形成し、上部フラップ２７に形成された切込み４０を折曲げ線４１のところで折曲げて上側緩衝用筒体４８を形成し、これらの緩衝用筒体４５〜４８によって被梱包物品５０を包装箱内において緩衝する。    【選択図】    図２
0003112352.tif 000002
【実用新案登録請求の範囲】
【請求項１】
４枚の側板を折曲げ線によって折曲げ可能に連結するとともに、該４枚の側板の下端に底板または底部フラップを連設し、該４枚の側板の上端に蓋板または上部フラップを連設し、
前記底板または底部フラップに中間部に折曲げ線を有する切込みを形成し、該切込みを前記折曲げ線のところで折曲げて下側緩衝用筒体を組立て、
前記蓋板または上部フラップに中間部に折曲げ線を有する切込みを形成し、該切込みを前記折曲げ線のところで折曲げて上側緩衝用筒体を組立て、
内部に収納される物品を前記下側緩衝用筒体および上側緩衝用筒体によって緩衝することを特徴とする包装箱。
【請求項２】
前記下側緩衝用筒体および前記上側緩衝用筒体を組立てるための切込みが細長い長方形の形状であることを特徴とする請求項１に記載の包装箱。
【請求項３】
前記下側緩衝用筒体および前記上側緩衝用筒体を組立てるための切込みが、その長さ方向と直交する方向に延びる２本の折曲げ線を備え、該折曲げ線のところで折曲げることによって４角筒状に組立てられることを特徴とする請求項２に記載の包装箱。
【請求項４】
前記下側緩衝用筒体および前記上側緩衝用筒体によって物品を下側および上側から受け、高さ方向の緩衝を行なうことを特徴とする請求項１に記載の包装箱。
【請求項５】
前記下側緩衝用筒体および前記上側緩衝用筒体を組立てるための切込みが、その長さ方向と直交する方向に延びる４本の折曲げ線を備え、該折曲げ線のところで折曲げることによって、４角筒状であって内側のコーナの部分に受けとなるコ字状の凹部が形成されることを特徴とする請求項２に記載の包装箱。
【請求項６】
前記下側緩衝用筒体のコ字状の凹部によって物品の側面と底面との角を受け、前記上側緩衝用筒体のコ字状の凹部によって物品の側面と上面との角の部分を受けることを特徴とする請求項５に記載の包装箱。
【考案の詳細な説明】
【技術分野】
【０００１】
本考案は、包装箱に係り、とくに４枚の側板を折曲げ線によって折曲げ可能に連結するとともに、該４枚の側板の下端に底板または底部フラップを連設し、４枚の側板の上端に蓋板または上部フラップを連設するようにした包装箱に関する。
【背景技術】
【０００２】
各種の物品を物流に供するために、従来より、段ボールを用いた包装箱が広く用いられている。例えば４枚の側板を互いに折曲げ線を介して横方向に折曲げ可能に連結し、これらの側板の下端側に底板を連設するとともに、これらの側板の上端側に蓋板を連設したＡ式ケースが包装箱として広く用いられている。すなわち各種の物品を物流に供する場合には、このようなＡ式ケースから成る包装箱内に物品を収納し、これによって物流段階における物品の損傷を防止している。
【０００３】
ここで包装箱内に物品を直接挿入した場合には、包装箱と物品との間の隙間によって物品が移動する可能性があるばかりでなく、外部からの衝撃が物品に加わり、これによって物品が衝撃を受ける可能性がある。そこで従来より、包装箱と被梱包物品との間に緩衝体を介在させ、この緩衝体によって物品の保護を図っている。
【０００４】
例えば発泡スチロール樹脂を所定の形状に発泡成形し、この緩衝体を物品と包装箱との間に介在させることによって、外部からの衝撃を緩衝体で吸収し、物品に対する衝撃を緩和できる。
【０００５】
ところが発泡スチロール樹脂の緩衝体は、使用後に廃棄する際に廃棄物公害の原因になる。すなわち焼却処理を行なった場合には有害ガスや高熱を発生することになり、放置すると廃棄物公害を生ずる。
【０００６】
そこで例えば段ボールを折畳んで組立てた緩衝体を用いるようにしている。ところがこの場合には、使用される部位に応じて、複雑な形状に上記の段ボールを組立てる必要があり、緩衝体のコストが増大する問題がある。また包装箱以外に、段ボール製の複数の緩衝体を用いなければならず、包装の管理が面倒になる。
【考案の開示】
【考案が解決しようとする課題】
【０００７】
本願考案は、包装箱以外に別部材から成る緩衝体を必要としないようにした包装箱を提供することである。
【０００８】
本願考案の別の課題は、廃棄物公害の原因となる発泡スチロール樹脂の緩衝体を用いないようにした包装箱を提供することである。
【０００９】
本願考案のさらに別の課題は、段ボールを折畳んで組立てられた複雑な構造の緩衝体を用いないようにした包装箱を提供することである。
【００１０】
本願考案のさらに別の課題は、包装のコストの低減を図るようにした包装箱を提供することである。
【００１１】
本願考案の上記の課題および別の課題は、以下に述べる本願考案の技術的思想およびその実施の形態によって明らかにされよう。
【課題を解決するための手段】
【００１２】
本願の主要な考案は、４枚の側板を折曲げ線によって折曲げ可能に連結するとともに、該４枚の側板の下端に底板または底部フラップを連設し、該４枚の側板の上端に蓋板または上部フラップを連設し、
前記底板または底部フラップに中間部に折曲げ線を有する切込みを形成し、該切込みを前記折曲げ線のところで折曲げて下側緩衝用筒体を組立て、
前記蓋板または上部フラップに中間部に折曲げ線を有する切込みを形成し、該切込みを前記折曲げ線のところで折曲げて上側緩衝用筒体を組立て、
内部に収納される物品を前記下側緩衝用筒体および上側緩衝用筒体によって緩衝することを特徴とする包装箱に関するものである。
【００１３】
ここで、前記下側緩衝用筒体および前記上側緩衝用筒体を組立てるための切込みが細長い長方形の形状であってよい。また前記下側緩衝用筒体および前記上側緩衝用筒体を組立てるための切込みが、その長さ方向と直交する方向に延びる２本の折曲げ線を備え、該折曲げ線のところで折曲げることによって４角筒状に組立てられてよい。また前記下側緩衝用筒体および前記上側緩衝用筒体によって物品を下側および上側から受け、高さ方向の緩衝を行なってよい。
【００１４】
また前記下側緩衝用筒体および前記上側緩衝用筒体を組立てるための切込みが、その長さ方向と直交する方向に延びる４本の折曲げ線を備え、該折曲げ線のところで折曲げることによって、４角筒状であって内側のコーナの部分に受けとなるコ字状の凹部が形成されてよい。また前記下側緩衝用筒体のコ字状の凹部によって物品の側部と底面との角を受け、前記上側緩衝用筒体のコ字状の凹部によって物品の側面と上面との角の部分を受けてよい。
【考案の効果】
【００１５】
本願の主要な考案は、４枚の側板を折曲げ線によって折曲げ可能に連結するとともに、該４枚の側板の下端に底板または底部フラップを連設し、該４枚の側板の上端に蓋板または上部フラップを連設し、底板または底部フラップに中間部に折曲げ線を有する切込みを形成し、該切込みを折曲げ線のところで折曲げて下側緩衝用筒体を組立て、蓋板または上部フラップに中間部に折曲げ線を有する切込みを形成し、該切込みを折曲げ線のところで折曲げて上側緩衝用筒体を組立て、内部に収納される物品を下側緩衝用筒体および上側緩衝用筒体によって緩衝するようにしたものである。
【００１６】
従ってこのような包装箱によれば、その内部に収納保持される被梱包物品が、底板または底部フラップの切込みの部分を折曲げ線のところで折曲げて組立てられる下側緩衝用筒体と、蓋板または上部フラップに形成された折曲げ線を有する切込みによって組立てられる上側緩衝用筒体とによって緩衝されることになる。従って包装箱の一部を利用して形成される下側緩衝用筒体と上側緩衝用筒体が物品の緩衝を行なうために、別部材から成る緩衝体が必要でなくなる。
【考案を実施するための最良の形態】
【００１７】
以下本願考案を図示の実施の形態によって説明する。図１１は本実施の形態の包装箱を組立てるための段ボール原紙を展開して示したものであって、この段ボール原紙は４枚の側板１１、１２、１３、１４を互いに折曲げ線１５のところで折曲げ可能に連結されている。そして左側の側板１１の左端には折曲げ線１６を介して接合片１７が連設されている。
【００１８】
側板１１、１３の下端側には底板２０が、折曲げ線２２によって折曲げ可能に連結されている。また側板１２、１４の下端には、底部フラップ２１が折曲げ線２２を介して折曲げ可能に連設されている。
【００１９】
これに対して側板１１、１３の上端には、折曲げ線２８を介して蓋板２６が折曲げ可能に連設されている。また側板１２、１４の上端には、折曲げ線２８を介して上部フラップ２７が折曲げ可能に連設されている。
【００２０】
次に緩衝用筒体を組立てるための構成について説明すると、側板１１、１３の下端側の底板２２は、細長い長方形の形状に切込み３２が形成されている。そして切込み３２をその長さ方向にほぼ３等分するように一対の折曲げ線３２が形成される。これに対して側板１２、１４の下端側には、細長い長方形の切込み３４がそれぞれ一対ずつ形成されるとともに、これらの切込み３４の長さ方向に３分割するように２本の折曲げ線３５が形成される。
【００２１】
一方側板１１、１３の上端側の蓋板２６には、上記底板２０の切込み３２とほぼ同じ寸法の細長い長方形の切込み３８が形成される。そして切込み３８をその長さ方向に３分割するように２本の折曲げ線３９が形成される。一方側板１２、１４の上端側の上部フラップ２７には、一対の細長い長方形の切込み４０が形成されるとともに、これらの切込み４０をその長さ方向に３分割するように、２本の折曲げ線４１が形成される。
【００２２】
次にこのような構成に係る段ボール原紙を用いて組立てられる包装箱について説明する。この包装箱は図２に示すように組立てられる。すなわち４枚の側板１１、１２、１３、１４を折曲げ線１５のところで互いに折曲げるとともに、接合片１７を側板１４の端部に糊付して結合することにより、４角筒状に組立てられる。そして底部開口を折曲げ線２２によって折曲げられる底板２０と底部フラップ２１とによって閉塞する。これによって有底の直方体状の包装箱が組立てられる。
【００２３】
このような包装箱において、底板２０の切込み３２および底部フラップ２１の切込み３４のところでそれぞれこれらの切込み３２、３４の内側の部分を包装箱内に突出するように筒状に折曲げ線３３、３５のところで折曲げる。これによって側板１１、１３の下部には下側緩衝用筒体４５が形成され、側板１２、１４の下端側の部分には一対の下側緩衝用筒体４６が形成される。
【００２４】
このようにこの包装箱の底部に沿って、下側緩衝用筒体４５、４６を形成したならば、この上に図３に示すように被梱包物品５０を載置する。そしてこの後に、蓋板２６の切込み３８を、折曲げ線３９のところで折曲げて側板１１、１３の上端に上側緩衝用筒体４７を形成する。また上部フラップ２７の一対の切込み４０を折曲げ線４１のところで折曲げて上側緩衝用筒体４８を側板１２、１４の上端に形成する。これらの上側緩衝用筒体４７、４８が、包装箱内に収納された被梱包物品５０の上側に位置する。そしてこの後に上部開口を、折曲げ線２８のところで折曲げられる上部フラップ２７と蓋板２６とによって閉じることにより、この包装箱内に被梱包物品５０が収納された状態で保持される。
【００２５】
このような構成によると、底板２０の一部を折曲げて形成される下側緩衝用筒体４５、底部フラップ２１の一部を折曲げて組立てられる下側緩衝用筒体４６、蓋板２６の一部を折曲げて形成される上側緩衝用筒体４７、上部フラップ２７を折曲げて形成される上側緩衝用筒体４８の組合わせによって、包装箱内に収納される被梱包物品５０の緩衝が行なわれる。これら４つの緩衝用筒体４５〜４８は、何れも包装箱と一体であってしかも包装箱の一部を折曲げて形成されるために、別部材から成る緩衝体を用意する必要がなくなる。従って緩衝体を予め用意しておく必要がなく、これによって梱包のコストの低減が図られる。
【００２６】
またこのような包装箱は、その緩衝部材が、その一部の部分を切込んで折曲げることによって形成される緩衝用筒体４５〜４８によって組立てられるために、発泡スチロール樹脂のような別部材から成る緩衝体を必要とせず、このために使用後において発泡スチロール樹脂の緩衝体が廃棄されることがない。従って発泡スチロール樹脂の焼却に伴う問題や、廃棄を行なったときの廃棄物公害の問題を回避できる。
【００２７】
なおこの実施の形態の包装箱は、上述の如く切込み３２、３４、３８、４０の部分をそれぞれ折曲げて緩衝用筒体４５〜４８を組立てるようになっているために、緩衝体４５〜４８を組立てると、包装箱の外表面に露出するように開口が形成される。従って開口が露出している部分に必要に応じて紙等を貼付けて閉じるようにしてもよい。
【００２８】
次に別の実施の形態を、図４〜図６によって説明する。この実施の形態は、緩衝用筒体４５〜４８を組立てる切込み３２、３４、３８、４０にそれぞれ４本の折曲げ線３３、３５、３９、４１を形成したものである。すなわち上記第１の実施例よりも、切込み３２、３４、３８、４０に形成される折曲げ線３３、３５、３９、４１の数を２本ずつ多くしている。
【００２９】
このように切込み３２、３４、３８、４０に形成される折曲げ線３３、３５、３９、４１の本数を多くすることによって、図５および図６に示すように、下側緩衝用筒体４５、４６および上側緩衝用筒体４７、４８の包装箱の内部に突出するコーナの部分に、コ字状の凹部５３、５４、５５、５６がそれぞれ形成されることになる。すなわち４つの緩衝用筒体４５〜４８はともに包装箱の内側に突出されるとともに、その突出される先端側のコーナの部分には、逆に被梱包物品５０のコーナの部分を受けるコ字状の凹部５３〜５６が形成される。
【００３０】
従ってこのような構成によれば、包装箱内に収納される物品の下側のコーナの部分を、下側緩衝用筒体４５、４６のコ字状の凹部５３、５４によって受けることが可能になる。また被梱包物品５０の上側のコーナの部分を、上側緩衝用筒体４７、４８のコ字状の凹部５５、５６によって受けることが可能になる。従って包装箱内に収納保持される物品は、これらの凹部５３〜５６によって保持された状態で、下側緩衝用筒体４５、４６と上側緩衝用筒体４７、４８とによって緩衝保護される。
【００３１】
このような構成によっても、上記第１の実施の形態と同様に、別部材から成る緩衝体を用意する必要がなくなり、これによって包装形態の簡略化と、包装コストの低減とが図られることになる。また発泡スチロール樹脂の緩衝体を用いないために、公害問題を未然に解消できるようになる。
【産業上の利用可能性】
【００３２】
本願考案は、各種の物品を物流に供するための、包装箱として広く利用可能である。
【図面の簡単な説明】
【００３３】
【図１】第１の実施の形態の包装箱の展開平面図である。
【図２】同包装箱の組立て斜視図である。
【図３】物品を梱包した状態の包装箱の縦断面図である。
【図４】別の実施の形態の包装箱を組立てるための段ボール原紙の展開平面図である。
【図５】同包装箱の組立て斜視図である。
【図６】組立てられた包装箱の縦断面図である。
【符号の説明】
【００３４】
１１〜１４  側板
１５、１６  折曲げ線
１７  接合片
２０  底板
２１  底部フラップ
２２  折曲げ線
２６  蓋板
２７  上部フラップ
２８  折曲げ線
３２  切込み
３３  折曲げ線
３４  切込み
３５  折曲げ線
３８  切込み
３９  折曲げ線
４０  切込み
４１  折曲げ線
４５、４６  下側緩衝用筒体
４７、４８  上側緩衝用筒体
５０  被梱包物品
５３〜５６  コ字状の凹部
【図１】
0003112352.tif 000003
【図２】
0003112352.tif 000004
【図３】
0003112352.tif 000005
【図４】
0003112352.tif 000006
【図５】
0003112352.tif 000007
【図６】
0003112352.tif 000008